(57)【要約】【課題】大型化及び高コスト化を招くことなく、光源の発光パワーに関する情報を応答性良く出力することができる光ピックアップ装置を提供する。【解決手段】光源５１ａから出射される光束は、その一部が偏光ホログラム５８で回折され、出射光量検出器５７で受光される。そこで、偏光ホログラムの回折効率を出射光束に対しては高く、戻り光束に対しては低くなるように設定することにより、偏光ホログラムが往路と復路の共通光路上に配置されていても、戻り光検出器５１ｂで受光される戻り光束の光量を低下させることなく、応答性良く光源の発光パワーに関する情報を出力することができる。【選択図】  図２
2004152355.tif 000002
【特許請求の範囲】
【請求項１】
情報記録媒体の記録面に光を照射し、前記記録面からの反射光を受光する光ピックアップ装置であって、
光源と；
前記光源から出射される光束を前記記録面に集光する対物レンズと、前記光源から出射され前記対物レンズに向かう光束の光路上に配置され、その光束の一部を所定の方向に回折する偏光ホログラムを含み、前記記録面で反射された戻り光束を所定の受光位置に導く光学系と；
前記受光位置に配置された戻り光検出器と；
前記偏光ホログラムで回折された光束を受光する出射光量検出器と；を備える光ピックアップ装置。
【請求項２】
前記偏光ホログラムは、その偏光ホログラムに対する前記光束の入射角が、特定の次数の回折光強度が選択的に大きくなるときの入射角とほぼ一致するように設定されていることを特徴とする請求項１に記載の光ピックアップ装置。
【請求項３】
前記特定の次数は、＋１次及び−１次のいずれかであることを特徴とする請求項２に記載の光ピックアップ装置。
【請求項４】
前記偏光ホログラムは集光作用を奏することを特徴とする請求項１〜３のいずれか一項に記載の光ピックアップ装置。
【請求項５】
複数種類の情報記録媒体の記録面に光を照射し、前記記録面からの反射光を受光する光ピックアップ装置であって、
前記複数の情報記録媒体に個別に対応して設けられ、波長の異なる光束を択一的に出射する複数の光源と；
前記各光束を対応する情報記録媒体の記録面に集光する対物レンズと、前記複数の光源から出射され前記対物レンズに向かう光束の光路上に配置され、各光束の一部をそれぞれ回折する少なくとも１つの偏光ホログラムを含み、前記記録面で反射された戻り光束を所定の受光位置に導く光学系と；
前記受光位置に配置された戻り光検出器と；
前記少なくとも１つの偏光ホログラムからの各波長の回折光をそれぞれ受光する少なくとも１つの出射光量検出器と；を備える光ピックアップ装置。
【請求項６】
前記偏光ホログラムは、前記複数の光源に個別に対応する複数の偏光ホログラムを含むことを特徴とする請求項５に記載の光ピックアップ装置。
【請求項７】
前記複数の偏光ホログラムのうち少なくとも１つの偏光ホログラムは、その偏光ホログラムに対応する光源からの光束の入射角が、特定の次数の回折光強度が選択的に大きくなるときの入射角とほぼ一致するように配置されていることを特徴とする請求項６に記載の光ピックアップ装置。
【請求項８】
前記特定の次数は、＋１次及び−１次のいずれかであることを特徴とする請求項７に記載の光ピックアップ装置。
【請求項９】
前記複数の偏光ホログラムのうち少なくとも１つの偏光ホログラムは、波長選択性を有することを特徴とする請求項６〜８のいずれか一項に記載の光ピックアップ装置。
【請求項１０】
前記複数の偏光ホログラムのうち少なくとも１つの偏光ホログラムは、集光作用を奏することを特徴とする請求項６〜９のいずれか一項に記載の光ピックアップ装置。
【請求項１１】
前記複数の偏光ホログラムのうち少なくとも２つの偏光ホログラムは一体化されていることを特徴とする請求項６〜１０のいずれか一項に記載の光ピックアップ装置。
【請求項１２】
前記複数の偏光ホログラムのうち少なくとも２つの偏光ホログラムからの回折光は、それぞれ同一の出射光量検出器で受光されることを特徴とする請求項６〜１１のいずれか一項に記載の光ピックアップ装置。
【請求項１３】
前記偏光ホログラムは、前記複数の光源のうち少なくとも２つの光源に個別に対応して設けられた複数の回折領域を有する偏光ホログラムを含むことを特徴とする請求項５に記載の光ピックアップ装置。
【請求項１４】
情報記録媒体の記録面上に光を照射し、情報の記録、再生、及び消去のうち少なくとも再生を行なう光ディスク装置であって、
請求項１〜１３のいずれか一項に記載の光ピックアップ装置と；
前記光ピックアップ装置からの出力信号を用いて、情報の記録、再生、及び消去のうち少なくとも再生を行なう処理装置と；を備える光ディスク装置。
【発明の詳細な説明】
【０００１】
【発明の属する技術分野】
本発明は光ピックアップ装置及び光ディスク装置に係り、さらに詳しくは、情報記録媒体の記録面に光を照射し、その記録面からの反射光を受光する光ピックアップ装置及び該光ピックアップ装置を備えた光ディスク装置に関する。
【０００２】
【従来の技術】
近年、パーソナルコンピュータは、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ  ｄｉｓｃ）やＤＶＤ（ｄｉｇｉｔａｌ  ｖｅｒｓａｔｉｌｅ  ｄｉｓｃ）などの光ディスクが注目されるようになり、その低価格化とともに、情報記録装置としての光ディスク装置がパーソナルコンピュータの周辺機器の一つとして普及するようになった。光ディスク装置では、光ディスクのスパイラル状又は同心円状のトラックが形成された記録面にレーザ光（レーザビーム）の微小スポットを照射することにより情報の記録及び消去を行い、記録面からの反射光に基づいて情報の再生などを行っている。そこで、光ディスク装置には、情報記録媒体の記録面にレーザ光を照射するとともに、記録面からの反射光を受光するための装置として、光ピックアップ装置が搭載されている。
【０００３】
この光ピックアップ装置は、一般的に、レーザ光を所定の発光パワー（出力）で出射する光源、その光源から出射されるレーザ光を光ディスクの記録面に導くとともに、記録面で反射されたレーザ光を所定の受光位置まで導く光学系、及びその受光位置に配置された受光素子を含む検出系などを備えている。この検出系からは、記録面に記録されているデータの再生情報だけでなく、光ピックアップ装置自体及び対物レンズの位置制御に必要な情報を含む信号などが出力される。
【０００４】
光ディスクでは、互いに反射率の異なるマーク（ピット）領域及びスペース領域のそれぞれの長さとそれらの組み合わせとによって情報が記録される。そこで、光ディスクに情報を記録する際には所定の位置に所定の長さのマーク領域及びスペース領域がそれぞれ形成されるように光源の発光パワーが制御される。
【０００５】
例えば、記録層に有機色素を含むＣＤ−Ｒ（ＣＤ−ｒｅｃｏｒｄａｂｌｅ）、ＤＶＤ−Ｒ（ＤＶＤ−ｒｅｃｏｒｄａｂｌｅ）、及びＤＶＤ＋Ｒ（ＤＶＤ＋ｒｅｃｏｒｄａｂｌｅ）などの追記型の光ディスク（以下、便宜上「色素型ディスク」という）では、マーク領域を形成するときには発光パワーを大きくして色素を加熱及び溶解し、そこに接している基板部分を変質・変形させている。一方、スペース領域を形成するときには基板が変質・変形しないように発光パワーを再生時と同程度に小さくしている。これにより、マーク領域ではスペース領域よりも反射率が低くなる。
【０００６】
また、記録層に特殊合金を含むＣＤ−ＲＷ（ＣＤ−ｒｅｗｒｉｔａｂｌｅ）、ＤＶＤ−ＲＷ（ＤＶＤ−ｒｅｗｒｉｔａｂｌｅ）、及びＤＶＤ＋ＲＷ（ＤＶＤ＋ｒｅｗｒｉｔａｂｌｅ）などの書き換え可能な光ディスク（以下、便宜上「相変化型ディスク」ともいう）では、マーク領域を形成するときには、レーザ光により特殊合金を第１の温度に加熱した後、発光パワーを小さくして特殊合金を急冷し、特殊合金をアモルファス（非晶質）状態にしている。スペース領域を形成するときには、レーザ光により特殊合金を第２の温度（＜第１の温度）に加熱した後、特殊合金を徐冷し、特殊合金を結晶状態にしている。これにより、マーク領域では、スペース領域よりも反射率が低くなる。
【０００７】
通常、半導体レーザなどの光源は電流駆動型であり、その発光パワーはドライバから供給される電流（駆動電流）によって制御されている。しかしながら、光源に供給される駆動電流が一定に保たれていても、光源及び光源近傍の温度変動や湿度変動などによって発光パワーが変動し、記録品質の低下を招来する場合があった。そこで、本出願人は、光源から出射された光束の光量をモニタし、そのモニタ情報に基づいて発光パワーをフィードバック制御する光ピックアップ装置を先に提案した（特許文献１及び特許文献２参照）。これにより、記録品質に優れた記録を安定して行うことが可能となった。
【０００８】
【特許文献１】
特開平９−６３１０１号公報
【特許文献２】
特開２００１−２５６６６６号公報
【０００９】
【発明が解決しようとする課題】
しかしながら、その後、記録速度の高速化が進み、上記特許文献１及び特許文献２に開示されている光ピックアップ装置では、高速度での応答性に不十分な点がみられるようになってきた。また、コストの点に関しても、近年の低価格化への要求に対応するのが困難となってきた。
【００１０】
本発明は、かかる事情の下になされたもので、その第１の目的は、大型化及び高コスト化を招くことなく、光源の発光パワーに関する情報を応答性良く出力することができる光ピックアップ装置を提供することにある。
【００１１】
また、本発明の第２の目的は、情報記録媒体への高速度でのアクセスを精度良く安定して行うことができる光ディスク装置を提供することにある。
【００１２】
【課題を解決するための手段】
請求項１に記載の発明は、情報記録媒体の記録面に光を照射し、前記記録面からの反射光を受光する光ピックアップ装置であって、光源と；前記光源から出射される光束を前記記録面に集光する対物レンズと、前記光源から出射され前記対物レンズに向かう光束の光路上に配置され、その光束の一部を所定の方向に回折する偏光ホログラムを含み、前記記録面で反射された戻り光束を所定の受光位置に導く光学系と；前記受光位置に配置された戻り光検出器と；前記偏光ホログラムで回折された光束を受光する出射光量検出器と；を備える光ピックアップ装置である。
【００１３】
本明細書における偏光ホログラムは、入射光束の偏光状態に応じて回折効率が異なるように所定の凹凸が形成された部材だけでなく、例えばその部材を保持するためのガラス基板など、前記部材をその構成の一部とする素子及び部品、あるいは、ガラスなどの表面の一部に所定の深さの凹凸が形成されたものなども含む。そして、偏光ホログラムは、光源から出射される光束の一部を所定の方向に回折することができれば良く、その形状は限定されない。
【００１４】
これによれば、光源から出射される光束（以下「出射光束」と略述する）は、対物レンズを介して情報記録媒体の記録面に集光され、記録面で反射された戻り光束は戻り光検出器で受光される。また、出射光束は、その一部が偏光ホログラムで回折され、出射光量検出器で受光される。ここで、偏光ホログラムは入射光の偏光状態に応じてその回折効率が異なるために、例えば、出射光束の偏光方向に対しては回折効率が高く、戻り光束の偏光方向に対しては回折効率が低くなるように設定することにより、偏光ホログラムが往路と復路の共通光路上に配置されていても、戻り光検出器で受光される戻り光束の光量を低下させることはない。すなわち、戻り光検出器の出力信号における信号レベル及びＳ／Ｎ比を低下させることはない。さらに、偏光ホログラム及び出射光量検出器としては、小型で安価な汎用品を用いることができるため、大型化及び高コスト化を招くことなく、光源の発光パワーに関する情報を応答性良く出力することが可能となる。
【００１５】
この場合において、請求項２に記載の光ピックアップ装置の如く、前記偏光ホログラムは、その偏光ホログラムに対する前記光束の入射角が、特定の次数の回折光強度が選択的に大きくなるときの入射角とほぼ一致するように設定されていることとすることができる。かかる場合には、偏光ホログラムで回折される回折光の大部分を出射光量検出器で受光することができるため、記録面に集光される光量の低下を招くことなく、出射光量検出器での受光光量を増加させることができる。
【００１６】
この場合において、請求項３に記載の光ピックアップ装置の如く、前記特定の次数は、＋１次及び−１次のいずれかであることとすることができる。
【００１７】
上記請求項１〜３に記載の各光ピックアップ装置において、請求項４に記載の光ピックアップ装置の如く、前記偏光ホログラムは集光作用を奏することとすることができる。かかる場合には、出射光量検出器の受光面積を小さくすることができ、高速応答性を向上させることが可能となる。
【００１８】
請求項５に記載の発明は、複数種類の情報記録媒体の記録面に光を照射し、前記記録面からの反射光を受光する光ピックアップ装置であって、前記複数の情報記録媒体に個別に対応して設けられ、波長の異なる光束を択一的に出射する複数の光源と；前記各光束を対応する情報記録媒体の記録面に集光する対物レンズと、前記複数の光源から出射され前記対物レンズに向かう光束の光路上に配置され、各光束の一部をそれぞれ回折する少なくとも１つの偏光ホログラムを含み、前記記録面で反射された戻り光束を所定の受光位置に導く光学系と；前記受光位置に配置された戻り光検出器と；前記少なくとも１つの偏光ホログラムからの各波長の回折光をそれぞれ受光する少なくとも１つの出射光量検出器と；を備える光ピックアップ装置である。
【００１９】
これによれば、複数の光源から出射される光束（出射光束）は、対物レンズを介して対応する情報記録媒体の記録面に集光され、記録面で反射された戻り光束は戻り光検出器で受光される。また、出射光束は、その一部が少なくとも１つの偏光ホログラムで回折され、少なくとも１つの出射光量検出器で受光される。ここで、偏光ホログラムは入射光の偏光状態に応じてその回折効率が異なるために、例えば、出射光束の偏光方向に対しては回折効率が高く、戻り光束の偏光方向に対しては回折効率が低くなるように設定することにより、偏光ホログラムが往路と復路の共通光路上に配置されていても、出射光束の波長に依らず、戻り光検出器で受光される戻り光束の光量を低下させることはない。すなわち、対応する情報記録媒体のいずれにおいても、戻り光検出器の出力信号における信号レベル及びＳ／Ｎ比を低下させることはない。さらに、偏光ホログラム及び出射光量検出器としては、小型で安価な汎用品を用いることができるため、大型化及び高コスト化を招くことなく、各光源の発光パワーに関する情報をいずれも応答性良く出力することが可能となる。
【００２０】
この場合において、請求項６に記載の光ピックアップ装置の如く、前記偏光ホログラムは、前記複数の光源に個別に対応する複数の偏光ホログラムを含むこととすることができる。
【００２１】
この場合において、請求項７に記載の光ピックアップ装置の如く、前記複数の偏光ホログラムのうち少なくとも１つの偏光ホログラムは、その偏光ホログラムに対応する光源からの光束の入射角が、特定の次数の回折光強度が選択的に大きくなるときの入射角とほぼ一致するように配置されていることとすることができる。かかる場合には、偏光ホログラムで回折される回折光の大部分を出射光量検出器で受光することができるため、記録面に集光される光量の低下を招くことなく、出射光量検出器での受光光量を増加させることができる。
【００２２】
この場合において、請求項８に記載の光ピックアップ装置の如く、前記特定の次数は、＋１次及び−１次のいずれかであることとすることができる。
【００２３】
上記請求項６〜８に記載の各光ピックアップ装置において、請求項９に記載の光ピックアップ装置の如く、前記複数の偏光ホログラムのうち少なくとも１つの偏光ホログラムは、波長選択性を有することとすることができる。かかる場合には、光利用効率を向上させることができる。
【００２４】
上記請求項６〜９に記載の各光ピックアップ装置において、請求項１０に記載の光ピックアップ装置の如く、前記複数の偏光ホログラムのうち少なくとも１つの偏光ホログラムは、集光作用を奏することとすることができる。かかる場合には、その偏光ホログラムからの回折光を受光する出射光量検出器の受光面積を小さくすることができ、高速応答性を向上させることが可能となる。
【００２５】
上記請求項６〜１０に記載の各光ピックアップ装置において、請求項１１に記載の光ピックアップ装置の如く、前記複数の偏光ホログラムのうち少なくとも２つの偏光ホログラムは一体化されていることとすることができる。かかる場合には、組み付け工程での部品点数が減少するため、組み付け作業が簡素化でき、作業コストを低減することが可能となる。また、各偏光ホログラムの位置を調整をして一体化することにより、組み付け精度が向上し、調整作業を簡素化でき、作業コストを低減することが可能となる。さらに、光ピックアップ装置の小型化を促進することができる。
【００２６】
上記請求項６〜１１に記載の各光ピックアップ装置において、請求項１２に記載の光ピックアップ装置の如く、前記複数の偏光ホログラムのうち少なくとも２つの偏光ホログラムからの回折光は、それぞれ同一の出射光量検出器で受光されることとすることができる。かかる場合には、部品点数が減少し、部品コストを低減することができる。また、光ピックアップ装置の小型化を促進することが可能となる。
【００２７】
上記請求項５に記載の光ピックアップ装置において、請求項１３に記載の光ピックアップ装置の如く、前記偏光ホログラムは、前記複数の光源のうち少なくとも２つの光源に個別に対応して設けられた複数の回折領域を有する偏光ホログラムを含むこととすることができる。かかる場合には、偏光ホログラムの数が減少し、光ピックアップ装置の小型化を促進することが可能となる。
【００２８】
請求項１４に記載の発明は、情報記録媒体の記録面上に光を照射し、情報の記録、再生、及び消去のうち少なくとも再生を行なう光ディスク装置であって、請求項１〜１３のいずれか一項に記載の光ピックアップ装置と；前記光ピックアップ装置からの出力信号を用いて、情報の記録、再生、及び消去のうち少なくとも再生を行なう処理装置と；を備える光ディスク装置である。
【００２９】
これによれば、請求項１〜１３のいずれか一項に記載の光ピックアップ装置の出力信号に基づいて、光源の発光パワーの変動を抑制することができる。従って、その結果、情報記録媒体への情報の記録、再生、及び消去のうち少なくとも再生を含むアクセスを高速度で精度良く安定して行うことが可能となる。
【００３０】
【発明の実施の形態】
《第１の実施形態》
以下、本発明の第１の実施形態を図１〜図３に基づいて説明する。図１には、本発明の第１の実施形態に係る光ディスク装置の概略構成が示されている。
【００３１】
この図１に示される光ディスク装置２０は、光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０、ＲＡＭ４１、及びＡＰＣ回路４２などを備えている。なお、図１における矢印は、代表的な信号や情報の流れを示すものであり、各ブロックの接続関係の全てを表すものではない。また、本第１の実施形態では、一例としてＤＶＤ系の規格に準拠した情報記録媒体が光ディスク１５として用いられるものとする。
【００３２】
前記光ピックアップ装置２３は、光ディスク１５のスパイラル状又は同心円状のトラックが形成された記録面にレーザ光を照射するとともに、記録面からの反射光を受光するための装置である。なお、この光ピックアップ装置２３の構成等については後に詳述する。
【００３３】
前記再生信号処理回路２８は、光ピックアップ装置２３からの出力信号に基づいてウォブル信号、ＲＦ信号及びサーボ信号（フォーカスエラー信号、トラックエラー信号）などを検出する。そして、再生信号処理回路２８はウォブル信号からＡＤＩＰ（Ａｄｄｒｅｓｓ  Ｉｎ  Ｐｒｅｇｒｏｏｖｅ）情報及び同期信号等を抽出する。ここで抽出されたＡＤＩＰ情報はＣＰＵ４０に出力され、同期信号はエンコーダ２５に出力される。さらに、再生信号処理回路２８はＲＦ信号に対して復調処理や誤り訂正処理などを行なった後、バッファマネージャ３７を介してバッファＲＡＭ３４に格納する。また、サーボ信号は再生信号処理回路２８からサーボコントローラ３３に出力される。
【００３４】
前記サーボコントローラ３３は、サーボ信号に基づいて光ピックアップ装置２３を制御する各種制御信号を生成し、モータドライバ２７に出力する。
【００３５】
前記モータドライバ２７は、サーボコントローラ３３からの制御信号及びＣＰＵ４０の指示に基づいて、光ピックアップ装置２３及びスピンドルモータ２２を制御する。
【００３６】
前記ＡＰＣ回路４２は、後述する光ピックアップ装置２３からの光量モニタ信号に基づいて、発光パワーの変動を抑制するための制御信号を生成し、レーザコントロール回路２４に出力する。
【００３７】
前記エンコーダ２５は、ＣＰＵ４０の指示に基づいて、バッファＲＡＭ３４に蓄積されているデータをバッファマネージャ３７を介して取り出し、８−１６変調やエラー訂正コードの付加などを行ない、光ディスク１５への書き込み信号を作成するとともに、再生信号処理回路２８からの同期信号に同期して書き込み信号をレーザコントロール回路２４に出力する。
【００３８】
前記レーザコントロール回路２４は、エンコーダ２５からの書き込み信号及びＣＰＵ４０の指示に基づいて、光ピックアップ装置２３から出射されるレーザ光の発光パワーを制御する。また、レーザコントロール回路２４は、ＡＰＣ回路４２からの制御信号に基づいて、レーザ光の発光パワーをフィードバック制御する。
【００３９】
前記バッファマネージャ３７は、バッファＲＡＭ３４へのデータの入出力を管理し、蓄積されたデータ量が所定の値になるとＣＰＵ４０に通知する。
【００４０】
前記インターフェース３８は、ホスト（例えばパソコン）との双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）及びＳＣＳＩ（Ｓｍａｌｌ  Ｃｏｍｐｕｔｅｒ  Ｓｙｓｔｅｍ  Ｉｎｔｅｒｆａｃｅ）等の標準インターフェースに準拠している。
【００４１】
前記ＲＯＭ３９には、ＣＰＵ４０にて解読可能なコードで記述されたプログラムが格納されている。そして、ＣＰＵ４０は、ＲＯＭ３９に格納されているプログラムに従って上記各部の動作を制御するとともに、制御に必要なデータ等を一時的にＲＡＭ４１に保存する。
【００４２】
次に、前記光ピックアップ装置２３の構成等について図２（Ａ）及び図２（Ｂ）に基づいて説明する。光ピックアップ装置２３は、図２（Ａ）に示されるように、受発光モジュール５１、信号用ホログラム５６、コリメートレンズ５２、λ／４板５５、対物レンズ６０、モニタ用ホログラム５８、モニタ用受光素子５７、及び駆動系（フォーカシングアクチュエータ、トラッキングアクチュエータ及びシークモータ（いずれも図示省略））などを備えている。
【００４３】
ここで、受発光モジュール５１は、波長が６６０ｎｍの光束を出射する光源としての半導体レーザ５１ａと、光ディスク１５で反射された光束を戻り光束として受光する光検出器としての受光器５１ｂとを含んで構成されている。なお、本第１の実施形態では、半導体レーザ５１ａから出射される光束の最大強度出射方向を＋Ｘ方向とする。また、一例として半導体レーザ５１ａからは前記信号用ホログラム５６の入射面に平行な偏光（Ｐ偏光）の光束が出射されるものとする。受光器５１ｂは、半導体レーザ５１ａから所定の距離だけ−Ｚ方向に離れた所定の位置に配置されている。
【００４４】
上記受光器５１ｂとしては、通常の光ディスク装置と同様に、４分割受光素子が用いられ、ウォブル信号情報、再生データ情報、フォーカスエラー情報及びトラックエラー情報などを含む信号を再生信号処理回路２８に出力する。
【００４５】
前記信号用ホログラム５６は、受発光モジュール５１の＋Ｘ側に配置され、光ディスク１５で反射された戻り光束を、往路と復路の共通光路上から受光器５１ｂの受光面方向に分岐する。この信号用ホログラム５６は、入射する光束の偏光方向によって回折効率が異なる偏光性を有している。ここでは、上述したように半導体レーザ５１ａからＰ偏光の光束が出射され、戻り光束がＳ偏光の光束となるため、信号用ホログラム５６は、Ｐ偏光の光束に対しては低い回折効率を有し、Ｓ偏光の光束に対しては高い回折効率を有するように設定されている。また、信号用ホログラム５６と受発光モジュール５１とは一体化されている。
【００４６】
前記コリメートレンズ５２は、信号用ホログラム５６の＋Ｘ側に配置され、信号用ホログラム５６を透過した光束を略平行光とする。
【００４７】
前記モニタ用ホログラム５８は、コリメートレンズ５２の＋Ｘ側に配置され、コリメートレンズ５２を透過した光束の一部を、往路と復路の共通光路上から離れた所定の位置に配置された前記モニタ用受光素子５７の受光面方向に回折するとともに、モニタ用受光素子５７の受光面上に集光する。このモニタ用ホログラム５８は、入射する光束の偏光方向によって回折効率が異なる偏光性を有している。ここでは、半導体レーザ５１ａからＰ偏光の光束が出射され、戻り光束がＳ偏光の光束となるため、モニタ用ホログラム５８は、Ｐ偏光の光束に対しては高い回折効率を有し、Ｓ偏光の光束に対しては低い回折効率を有するように設定されている。なお、モニタ用ホログラム５８は、一例として図２（Ｂ）に示されるように、集光機能を付加するための所定のパターンで溝が形成されている。また、モニタ用ホログラム５８は、通常の体積ホログラムと同様に、光の入射角度により回折効率は大きく変化し、特定の入射角（ブラッグ条件を満足するときの入射角）のときに回折効率が最大となる。モニタ用ホログラム５８では、一例として図３（Ａ）に示されるように、入射角がθ１（ここでは約３０度）のときに＋１次回折光Ｌ＋１の光量がほぼ最大となる。そこで、本第１の実施形態では、モニタ用ホログラム５８は、図３（Ｂ）に示されるように、コリメートレンズ５２を透過した光束の入射角がθ１とほぼ一致するように配置されている。なお、図３（Ａ）及び図３（Ｂ）におけるＬ０は０次光を示し、光Ｌ−１は−１次回折光を示している。
【００４８】
モニタ用受光素子５７としては、通常の受光素子が用いられている。このモニタ用受光素子５７は、半導体レーザ５１ａの発光パワーをモニタするために設置されており、半導体レーザ５１ａから出射される光束の光量に関する情報を含む信号を光量モニタ信号としてＡＰＣ回路４２に出力する。
【００４９】
図２に戻り、前記λ／４板５５は、モニタ用ホログラム５８の＋Ｘ側に配置され、モニタ用ホログラム５８を透過した光束に光学的位相差を付与する。このλ／４板５５の＋Ｘ側には、前記対物レンズ６０が配置され、λ／４板５５を透過した光束を集光し、光ディスク１５の記録面上に光スポットを形成する。
【００５０】
上記のように構成される光ピックアップ装置２３の作用を簡単に説明すると、半導体レーザ５１ａから出射されたＰ偏光の光束は、信号用ホログラム５６に入射する。信号用ホログラム５６ではＰ偏光の光束に対する回折効率が小さいので、半導体レーザ５１ａから出射された光束の大部分は信号用ホログラム５６を透過する。信号用ホログラム５６を透過した光束は、コリメートレンズ５２で略平行光とされた後、モニタ用ホログラム５８に入射する。モニタ用ホログラム５８に入射した光束はＰ偏光の光束であるため、その一部はモニタ用ホログラム５８で回折され、その＋１次回折光がモニタ用受光素子５７の受光面上に集光される。モニタ用受光素子５７からは、受光量に応じた信号がＡＰＣ回路４２に出力される。一方、モニタ用ホログラム５８を透過した光束は、λ／４板５５で円偏光とされた後、対物レンズ６０を介して光ディスク１５の記録面に微小スポットとして集光される。
【００５１】
光ディスク１５の記録面にて反射した反射光は、往路とは反対回りの円偏光の光束となり、戻り光束として対物レンズ６０で再び略平行光とされる。この戻り光束は、λ／４板５５で往路と直交した直線偏光（ここではＳ偏光）とされた後、モニタ用ホログラム５８に入射する。モニタ用ホログラム５８に入射した光束はＳ偏光の光束であるため、そのほとんどはモニタ用ホログラム５８を透過し、コリメートレンズ５２を介して信号用ホログラム５６に入射する。信号用ホログラム５６では、Ｓ偏光の光束に対する回折効率が大きいので、戻り光束の一部は信号用ホログラム５６で回折され、受光器５１ｂで受光される。受光器５１ｂを構成する各受光素子は、受光量に応じた信号をそれぞれ再生信号処理回路２８に出力する。
【００５２】
ここで、光ディスク装置２０における記録処理について説明する。
【００５３】
ＣＰＵ４０は、ホストから記録要求のコマンドを受信すると、指定された記録速度に基づいてスピンドルモータ２２の回転を制御するための制御信号をモータドライバ２７に出力するとともに、ホストから記録要求コマンドを受信した旨を再生信号処理回路２８に通知する。また、ＣＰＵ４０は、ホストから受信したユーザデータのバッファＲＡＭ３４への蓄積をバッファマネージャ３７に指示する。
【００５４】
再生信号処理回路２８は、光ディスク１５の回転が所定の線速度に達すると、受光器５１ｂの出力信号に基づいてフォーカスエラー信号及びトラックエラー信号を検出し、サーボコントローラ３３に出力する。サーボコントローラ３３は、再生信号処理回路２８からのフォーカスエラー信号及びトラックエラー信号に基づいて、モータドライバ２７を介して光ピックアップ装置２３のフォーカシングアクチュエータ及びトラッキングアクチュエータを駆動し、フォーカスずれ及びトラックずれを補正する。すなわち、フォーカス制御及びトラッキング制御を行う。なお、このフォーカス制御及びトラッキング制御は記録処理が終了するまで随時行われる。また、再生信号処理回路２８は、受光器５１ｂの出力信号に基づいてＡＤＩＰ情報を取得し、ＣＰＵ４０に通知する。なお、再生信号処理回路２８は、記録処理が終了するまで所定のタイミング毎にＡＤＩＰ情報を取得し、ＣＰＵ４０に通知する。
【００５５】
ＣＰＵ４０は、ＡＤＩＰ情報に基づいて書き込み開始地点に光ピックアップ装置２３が位置するように光ピックアップ装置２３のシークモータを制御する信号をモータドライバ２７に出力する。また、ＣＰＵ４０は、バッファマネージャ３７からバッファＲＡＭ３４に蓄積されたユーザデータ量が所定の値を超えたとの通知を受け取ると、エンコーダ２５に書き込み信号の生成を指示する。さらに、ＣＰＵ４０は、ＡＤＩＰ情報に基づいて光ピックアップ装置２３の位置が書き込み開始地点であると判断すると、エンコーダ２５に通知する。これにより、ユーザデータは、エンコーダ２５、レーザコントロール回路２４及び光ピックアップ装置２３を介して光ディスク１５に記録される。
【００５６】
次に、光ディスク装置２０における再生処理について説明する。
【００５７】
ＣＰＵ４０は、ホストから再生要求のコマンドを受信すると、再生速度に基づいてスピンドルモータ２２の回転を制御するための制御信号をモータドライバ２７に出力するとともに、再生要求コマンドを受信した旨を再生信号処理回路２８に通知する。再生信号処理回路２８は、前記記録処理の場合と同様に、フォーカスずれ及びトラックずれを補正するとともに、ＡＤＩＰ情報をＣＰＵ４０に通知する。
【００５８】
ＣＰＵ４０は、ＡＤＩＰ情報に基づいて読み出し開始地点に光ピックアップ装置２３が位置するように光ピックアップ装置２３のシークモータを制御する信号をモータドライバ２７に出力する。そして、ＣＰＵ４０は、ＡＤＩＰ情報に基づいて光ピックアップ装置２３の位置が読み出し開始地点であると判断すると、再生信号処理回路２８に通知する。
【００５９】
再生信号処理回路２８は、受光器５１ｂからの出力信号に基づいてＲＦ信号を検出し、復調処理及び誤り訂正処理などを行った後、バッファＲＡＭ３４に蓄積する。バッファマネージャ３７は、バッファＲＡＭ３４に蓄積された再生データがセクタデータとして揃ったときに、インターフェース３８を介してホストに転送する。
【００６０】
また、ＡＰＣ回路４２は、記録処理及び再生処理が終了するまで、モニタ用受光素子５７からの光量モニタ信号に基づいて、発光パワーの変動を抑制する制御信号をレーザコントロール回路２４に随時出力する。
【００６１】
以上の説明から明らかなように、本第１の実施形態に係る光ディスク装置２０では、再生信号処理回路２８と、ＣＰＵ４０及び該ＣＰＵ４０によって実行されるプログラムとによって処理装置が実現されている。なお、上記第１の実施形態において、ＣＰＵ４０によるプログラムに従う処理によって実現した処理装置の少なくとも一部をハードウェアによって構成することとしても良いし、あるいは処理装置の全てをハードウェアによって構成することとしても良い。
【００６２】
以上説明したように、本第１の実施形態に係る光ピックアップ装置によると、光源から出射される光束（出射光束）は、対物レンズを介して光ディスクの記録面に集光され、記録面で反射された戻り光束は受光器で受光される。また、出射光束は、その一部がモニタ用ホログラムで回折されモニタ用受光素子で受光される。モニタ用ホログラムは＋１次回折光の光量がほぼ最大となるような角度で出射光束が入射するように配置されているために、回折光の大部分をモニタ用受光素子で受光することができる。従って、記録面に集光される光量の低下を招来することなく、モニタ用受光素子での受光光量を増加させることができる。また、モニタ用ホログラムは入射光の偏光状態に応じて回折効率が異なるために、往路と復路の共通光路中に配置されても、受光器で受光される戻り光束の光量を低下させることはない。すなわち、受光器の出力信号における信号レベル及びＳ／Ｎ比を低下させることはない。さらに、モニタ用ホログラム及びモニタ用受光素子としては、小型で安価な汎用品を用いることができる。すなわち、大型化及び高コスト化を招くことなく、光源の発光パワーに関する情報を応答性良く出力することが可能となる。
【００６３】
また、本第１の実施形態によると、モニター用ホログラムは、集光機能が付加されているために、モニター用受光素子の面積を小さくでき、高速応答性を向上させることが可能となる。
【００６４】
また、本第１の実施形態に係る光ディスク装置によると、光源の発光パワーを応答性良く高感度に検出することができるため、精度の良いＡＰＣ制御を行うことが可能となる。さらに、光源の発光パワー検出は、受光器で受光される戻り光束の光量低下を伴わないために、精度良くサーボ制御を行うことができる。従って、その結果、光ディスクへの高速度でのアクセスを精度良く安定して行うことが可能となる。さらに、光ピックアップ装置の小型化及び軽量化によって、光ディスク装置自体の小型化及び消費電力の低減も促進することができ、例えば携帯用として用いられる場合には、持ち運びが容易になるとともに、長時間の使用が可能となる。
【００６５】
なお、上記第１の実施形態において、モニタ用ホログラム５８に代えて偏光ビームスプリッタを用いても良い。但し、この場合には、偏光ビームスプリッタとモニタ用受光素子５７との間に光束を集光するための集光レンズを必要とする。
【００６６】
また、上記第１の実施形態では、＋１次回折光Ｌ＋１の光量がほぼ最大となるように、コリメートレンズ５２を透過した光束のモニタ用ホログラム５８への入射角を設定する場合について説明したが、これに限らず、−１次回折光Ｌ−１の光量がほぼ最大となるように、コリメートレンズ５２を透過した光束のモニタ用ホログラム５８への入射角を設定しても良い。但し、この場合には、それに対応してモニタ用受光素子５７の配置を変更する必要がある。
【００６７】
《第２の実施形態》
次に、本発明の第２の実施形態を図４及び図５に基づいて説明する。
【００６８】
この第２の実施形態は、図４（Ａ）に示されるように、前述したピックアップ装置２３の代わりに、互いに異なる波長の光束を出射する２つの半導体レーザを備えた光ピックアップ装置４３を用いる点に特徴を有する。なお、第２の実施形態に係る光ディスク装置は、ＣＤ系の規格に準拠した情報記録媒体（以下「ＣＤ系」と略述する）及びＤＶＤ系の規格に準拠した情報記録媒体（以下「ＤＶＤ系」と略述する）が光ディスク１５として用いられるものとする。また、以下においては、前述した第１の実施形態とほぼ同一若しくは同等の構成部分については同一の符号を用い、その説明を簡略化し若しくは省略するものとする。
【００６９】
光ピックアップ装置４３は、図４（Ａ）に示されるように、受発光モジュール６１、第１の信号用ホログラム６６ａ、第２の信号用ホログラム６６ｂ、コリメートレンズ６２、λ／４板６５、対物レンズ７０、モニタ用ホログラム５８、第１のモニタ用受光素子６７ａ、第２のモニタ用受光素子６７ｂ、及び駆動系（フォーカシングアクチュエータ、トラッキングアクチュエータ及びシークモータ（いずれも図示省略））などを備えている。
【００７０】
受発光モジュール６１は、波長が６６０ｎｍの光束を出射する光源としての第１の半導体レーザ６１ａと、波長が７８５ｎｍの光束を出射する光源としての第２の半導体レーザ６１ｂと、光ディスク１５で反射された光束を戻り光束として受光する光検出器としての受光器６１ｃとを含んで構成されている。そして、各半導体レーザは互いに近接して配置されている。なお、本第２の実施形態では、各半導体レーザから出射される光束の最大強度出射方向を＋Ｘ方向とする。また、一例として各半導体レーザからは各信号用ホログラムの入射面に平行な偏光（Ｐ偏光）の光束が出射されるものとする。受光器６１ｃは、第２の半導体レーザ６１ｂから所定の距離だけ−Ｚ方向に離れた所定の位置に配置されている。第１の半導体レーザ６１ａは光ディスク１５がＤＶＤ系の場合に選択され、第２の半導体レーザ６１ｂは光ディスク１５がＣＤ系の場合に選択される。
【００７１】
前記第１の信号用ホログラム６６ａは、受発光モジュール６１の＋Ｘ側に配置され、光ディスク１５で反射された波長が６６０ｎｍの戻り光束を、往路と復路の共通光路上から受光器６１ｃの受光面方向に分岐する。前記第２の信号用ホログラム６６ｂは、第１の信号用ホログラム６６ａの＋Ｘ側に配置され、光ディスク１５で反射された波長が７８５ｎｍの戻り光束を、往路と復路の共通光路上から受光器６１ｃの受光面方向に分岐する。各信号用ホログラムは、入射する光束の偏光方向によって回折効率が異なる偏光性を有している。ここでは、上述したように各半導体レーザからＰ偏光の光束が出射され、戻り光束がＳ偏光の光束となるため、各信号用ホログラムは、Ｐ偏光の光束に対しては低い回折効率を有し、Ｓ偏光の光束に対しては高い回折効率を有するように設定されている。また、第１の信号用ホログラム６６ａは波長が６６０ｎｍの光束に最適化され、第２の信号用ホログラム６６ｂは波長が７８５ｎｍの光束に最適化されている。さらに、第１の信号用ホログラム６６ａ、第２の信号用ホログラム６６ｂ及び受発光モジュール６１は一体化されている。
【００７２】
前記コリメートレンズ６２は、第２の信号用ホログラム６６ｂの＋Ｘ側に配置され、第２の信号用ホログラム６６ｂを透過した光束を略平行光とする。
【００７３】
前記モニタ用ホログラム６８は、コリメートレンズ６２の＋Ｘ側に配置され、コリメートレンズ６２を透過した波長が６６０ｎｍの光束の一部を往路と復路の共通光路上から離れた所定の位置に配置された前記第１のモニタ用受光素子６７ａの受光面方向に回折、及び集光するとともに、コリメートレンズ６２を透過した波長が７８５ｎｍの光束の一部を往路と復路の共通光路上から離れた所定の位置に配置された前記第２のモニタ用受光素子６７ｂの受光面方向に回折、及び集光する。モニタ用ホログラム６８は、入射する光束の偏光方向によって回折効率が異なる偏光性を有している。ここでは、各半導体レーザからＰ偏光の光束が出射され、戻り光束がＳ偏光の光束となるため、モニタ用ホログラム６８は、Ｐ偏光の光束に対しては高い回折効率を有し、Ｓ偏光の光束に対しては低い回折効率を有するように設定されている。モニタ用ホログラム６８は、一例として図５に示されるように、入射角がθ２（ここでは約１４度）のときに波長が６６０ｎｍの光束の＋１次回折光Ｌｄ＋１の光量がほぼ最大となり、入射角がθ３（ここでは約１６度）のときに波長が７８５ｎｍの光束の＋１次回折光Ｌｃ＋１の光量がほぼ最大となる。そこで、本第２の実施形態では、モニタ用ホログラム６８は、コリメートレンズ６２を透過した光束の入射角がθ２とθ３との間（例えば１５度）となるように配置されている。なお、図５におけるＬｄ−１は波長が６６０ｎｍの光束の−１次回折光を示し、Ｌｃ−１は波長が７８５ｎｍの光束の−１次回折光を示している。
【００７４】
第１のモニタ用受光素子６７ａ及び第２のモニタ用受光素子６７ｂには、それぞれ通常の受光素子が用いられている。第１のモニタ用受光素子６７ａは、第１の半導体レーザ６１ａの発光パワーをモニタするために設けられており、第１の半導体レーザ６１ａから出射される光束の光量に関する情報を含む信号を光量モニタ信号としてＡＰＣ回路４２に出力する。第２のモニタ用受光素子６７ｂは、第２の半導体レーザ６１ｂの発光パワーをモニタするために設けられており、第２の半導体レーザ６１ｂから出射される光束の光量に関する情報を含む信号を光量モニタ信号としてＡＰＣ回路４２に出力する。
【００７５】
図４（Ａ）に戻り、モニタ用ホログラム６８の＋Ｘ側には、前記λ／４板６５が配置され、モニタ用ホログラム６８を透過した光束に光学的位相差を付与する。このλ／４板６５の＋Ｘ側には、前記対物レンズ７０が配置され、λ／４板６５を透過した光束を集光し、光ディスク１５の記録面上に光スポットを形成する。
【００７６】
上記のように構成される光ピックアップ装置４３の作用を簡単に説明する。先ず、光ディスク１５がＤＶＤ系の場合について図４（Ａ）を用いて説明する。
【００７７】
第１の半導体レーザ６１ａから出射されたＰ偏光の光束は、第１の信号用ホログラム６６ａに入射する。第１の信号用ホログラム６６ａでは、Ｐ偏光の光束に対する回折効率が小さいので、第１の半導体レーザ６１ａから出射された光束は、その大部分が第１の信号用ホログラム６６ａを透過する。第１の信号用ホログラム６６ａを透過した光束は、第２の信号用ホログラム６６ｂに入射する。第２の信号用ホログラム６６ｂでは、Ｐ偏光の光束に対する回折効率が小さいので、第１の信号用ホログラム６６ａを透過した光束は、その大部分が第２の信号用ホログラム６６ｂを透過する。第２の信号用ホログラム６６ｂを透過した光束は、コリメートレンズ６２で略平行光とされた後、モニタ用ホログラム６８に入射する。モニタ用ホログラム６８に入射した光束はＰ偏光の光束であるため、その一部はモニタ用ホログラム６８で回折され、その＋１次回折光が第１のモニタ用受光素子６７ａの受光面上に集光される。第１のモニタ用受光素子６７ａからは、受光量に応じた信号がＡＰＣ回路４２に出力される。一方、モニタ用ホログラム６８を透過した光束は、λ／４板６５で円偏光とされた後、対物レンズ７０を介して光ディスク１５の記録面に微小スポットとして集光される。
【００７８】
光ディスク１５の記録面にて反射した反射光は、往路とは反対回りの円偏光の光束となり、戻り光束として対物レンズ７０で再び略平行光とされる。この戻り光束は、λ／４板６５で往路と直交した直線偏光（ここではＳ偏光）とされた後、モニタ用ホログラム６８に入射する。モニタ用ホログラム６８に入射した光束はＳ偏光の光束であるため、そのほとんどはモニタ用ホログラム６８を透過し、コリメートレンズ６２を介して第２の信号用ホログラム６６ｂに入射する。第２の信号用ホログラム６６ｂは、波長が７８５ｎｍの光束に最適化されているため、戻り光束は、その大部分が第２の信号用ホログラム６６ｂを透過し、第１の信号用ホログラム６６ａに入射する。第１の信号用ホログラム６６ａは、波長が６６０ｎｍの光束に最適化されており、しかもＳ偏光の光束に対する回折効率が大きいので、戻り光束の一部は第１の信号用ホログラム６６ａで回折され、受光器６１ｃで受光される。受光器６１ｃを構成する各受光素子は、受光量に応じた信号をそれぞれ再生信号処理回路２８に出力する。
【００７９】
次に、光ディスク１５がＣＤ系の場合について図４（Ｂ）を用いて説明する。
【００８０】
第２の半導体レーザ６１ｂから出射されたＰ偏光の光束は、第１の信号用ホログラム６６ａに入射する。第１の信号用ホログラム６６ａでは、Ｐ偏光の光束に対する回折効率が小さいので、第２の半導体レーザ６１ｂから出射された光束は、その大部分が第１の信号用ホログラム６６ａを透過する。第１の信号用ホログラム６６ａを透過した光束は、第２の信号用ホログラム６６ｂに入射する。第２の信号用ホログラム６６ｂでは、Ｐ偏光の光束に対する回折効率が小さいので、第１の信号用ホログラム６６ａを透過した光束は、その大部分が第２の信号用ホログラム６６ｂを透過する。第２の信号用ホログラム６６ｂを透過した光束は、コリメートレンズ６２で略平行光とされた後、モニタ用ホログラム６８に入射する。モニタ用ホログラム６８に入射した光束はＰ偏光の光束であるため、その一部はモニタ用ホログラム６８で回折され、その＋１次回折光が第２のモニタ用受光素子６７ｂの受光面上に集光される。第２のモニタ用受光素子６７ｂからは、受光量に応じた信号がＡＰＣ回路４２に出力される。一方、モニタ用ホログラム６８を透過した光束は、λ／４板６５で円偏光とされた後、対物レンズ７０を介して光ディスク１５の記録面に微小スポットとして集光される。
【００８１】
光ディスク１５の記録面にて反射した反射光は、往路とは反対回りの円偏光の光束となり、戻り光束として対物レンズ７０で再び略平行光とされる。この戻り光束は、λ／４板６５で往路と直交した直線偏光（ここではＳ偏光）とされた後、モニタ用ホログラム６８に入射する。モニタ用ホログラム６８に入射した光束はＳ偏光の光束であるため、そのほとんどはモニタ用ホログラム６８を透過し、コリメートレンズ６２を介して第２の信号用ホログラム６６ｂに入射する。第２の信号用ホログラム６６ｂは、波長が７８５ｎｍの光束に最適化されており、しかもＳ偏光の光束に対する回折効率が大きいので、戻り光束の一部は第２の信号用ホログラム６６ｂで回折され、第１の信号用ホログラム６６ａに入射する。第１の信号用ホログラム６６ａは波長が６６０ｎｍの光束に最適化されているため、第２の信号用ホログラム６６ｂからの回折光は、その大部分が第１の信号用ホログラム６６ａを透過し、受光器６１ｃで受光される。受光器６１ｃを構成する各受光素子は、受光量に応じた信号をそれぞれ再生信号処理回路２８に出力する。
【００８２】
また、光ディスク１５がＣＤ系であるかＤＶＤ系であるかは、その記録面からの反射光の強度から判別することができる。通常、この判別は光ディスク１５が光ディスク装置２０の所定位置にロードされたときにＣＰＵ４０によって行われる。また、光ディスク１５に予め記録されているＴＯＣ（Ｔａｂｌｅ  Ｏｆ  Ｃｏｎｔｅｎｔｓ）情報、ＰＭＡ（Ｐｒｏｇｒａｍ  Ｍｅｍｏｒｙ  Ａｒｅａ）情報及びウォブル信号などに基づいて光ディスク１５の種類を判別することも可能である。そして、その判別結果はＣＰＵ４０からレーザコントロール回路２４に通知され、レーザコントロール回路２４によって、第１の半導体レーザ６１ａ及び第２の半導体レーザ６１ｂのいずれかが選択される。また、判別結果は光ディスクの種類に応じた処理を行う他の回路等にも通知される。
【００８３】
本第２の実施形態に係る光ディスク装置では、光ディスク１５がＤＶＤ系の場合には、第１の実施形態と同様にして、光ディスク１５へのデータの記録及び光ディスク１５に記録されているデータの再生が行われる。また、光ディスク１５がＣＤ系の場合には、ＤＶＤ系の場合と若干異なる処理もあるが、ＤＶＤ系とほぼ同様な手順で記録及び再生が行なわれる。
【００８４】
以上の説明から明らかなように、本第２の実施形態に係る光ディスク装置では、再生信号処理回路２８と、ＣＰＵ４０及び該ＣＰＵ４０によって実行されるプログラムとによって処理装置が実現されている。なお、上記第２の実施形態において、ＣＰＵ４０によるプログラムに従う処理によって実現した処理装置の少なくとも一部をハードウェアによって構成することとしても良いし、あるいは処理装置の全てをハードウェアによって構成することとしても良い。
【００８５】
以上説明したように、本第２の実施形態に係る光ピックアップ装置によると、各光源から出射される光束（出射光束）は、それぞれ対物レンズを介して対応する光ディスクの記録面に集光され、記録面で反射された戻り光束は受光器で受光される。また、出射光束は、その一部がモニタ用ホログラムで回折され対応するモニタ用受光素子で受光される。モニタ用ホログラムは＋１次回折光の光量がほぼ最大となるような角度で出射光束が入射するように配置されているために、光ディスクがＣＤ系およびＤＶＤ系のいずれであっても、第１の実施形態に係る光ピックアップ装置と同様な効果を得ることができる。
【００８６】
また、本第２の実施形態によると、モニター用ホログラムは、集光機能が付加されているために、モニター用受光素子の面積を小さくでき、高速応答性を向上させることが可能となる。
【００８７】
また、本第２の実施形態に係る光ディスク装置によると、光源の発光パワーを高感度に検出することができるため、光ディスクがＣＤ系およびＤＶＤ系のいずれであっても、第１の実施形態に係る光ディスク装置と同様な効果を得ることができる。
【００８８】
なお、上記第２の実施形態において、モニタ用ホログラム６８に代えて偏光ビームスプリッタを用いても良い。但し、この場合には、偏光ビームスプリッタと各モニタ用受光素子との間に、光束を集光するための集光レンズをそれぞれ必要とする。
【００８９】
また、上記第２の実施形態において、図６（Ａ）及び図６（Ｂ）に示されるように、モニタ用ホログラム６８に代えて、波長が６６０ｎｍの光束に対応するモニタ用ホログラム６８ａと波長が７８５ｎｍの光束に対応するモニタ用ホログラム６８ｂとを用いても良い。この場合に、回折角の小さなモニター用ホログラム６８ａを光源側に設置し、回折角の大きなモニター用ホログラム６８ｂを光ディスク側に設置することにより、第１のモニタ用受光素子６７ａ及び第２のモニタ用受光素子６７ｂに代えて、１つのモニタ用受光素子６７で各波長の光束を受光することができる。すなわち、モニタ用受光素子を共通化することが可能となる。これにより、光ピックアップ装置の小型化を促進することができる。さらに、各モニタ用ホログラムを一体化しても良い。これにより、組み付け作業を簡略化することができるため、作業コストの低減を促進することが可能となる。この場合に、各モニタ用ホログラムに波長選択性を持たせても良い。これにより、光利用効率を向上させることができる。また、モニタ用ホログラム６８ａに入射する波長が６６０ｎｍの光束の入射角及びモニタ用ホログラム６８ｂに入射する波長が７８５ｎｍの光束の入射角を個別に設定しても良い。
【００９０】
また、この場合に、一例として図７（Ａ）及び図７（Ｂ）に示されるように、波長が６６０ｎｍの光束に対応するモニタ用ホログラムと波長が７８５ｎｍの光束に対応するモニタ用ホログラムとを一体化しても良い。図７（Ａ）に示されるモニタ用ホログラムは、光学的異方性を有する有機延伸膜ＹＭの一側の面に波長が６６０ｎｍの光束に対応する凹凸が形成され、他側の面に波長が７８５ｎｍの光束に対応する凹凸が形成されるとともに、凹凸が形成されたそれぞれの面は所定の屈折率を有する接着剤ＡＤを介してガラス基板ＧＰと貼り合わされている。また、図７（Ｂ）に示されるモニタ用ホログラムは、波長が６６０ｎｍの光束に対応する凹凸が形成された光学的異方性を有する有機延伸膜ＹＭ１と、波長が７８５ｎｍの光束に対応する凹凸が形成された光学的異方性を有する有機延伸膜ＹＭ２とが所定の屈折率を有する接着剤ＡＤを介して貼り合わされている。これにより、モニター用ホログラムの製造プロセスを簡易化することが可能となり、また、光ピックアップ装置の小型化を促進することができる。
【００９１】
さらに、この場合に、一例として図８（Ａ）及び図８（Ｂ）に示されるように、波長が６６０ｎｍの光束に対応する回折領域Ｒｄｖｄと波長が７８５ｎｍの光束に対応する回折領域Ｒｃｄとを有するモニタ用ホログラムを用いても良い。これにより、光ピックアップ装置の小型化を促進することができる。
【００９２】
なお、上記第２の実施形態では、各＋１次回折光の光量がそれぞれほぼ最大となるように、コリメートレンズ６２を透過した光束の信号用ホログラム６８への入射角を設定する場合について説明したが、これに限らず、各−１次回折光の光量がそれぞれほぼ最大となるように、コリメートレンズ６２を透過した光束の信号用ホログラム６８への入射角を設定しても良い。但し、この場合には、それに対応してモニタ用受光素子６７ａ、６７ｂの配置を変更する必要がある。
【００９３】
また、上記第２の実施形態では、光源から出射される光束の波長が６６０ｎｍ及び７８５ｎｍの場合について説明したが、本発明がこれに限定されるものではない。いずれかの光源の代わりに、例えば波長が４０５ｎｍの光束を出射する光源を用いても良い。
【００９４】
さらに、上記第２の実施形態では、光源から出射される光束の波長が２種類の場合について説明したが、本発明がこれに限定されるものではなく、３種類以上であっても良い。
【００９５】
また、上記各実施形態では、情報の記録及び再生が可能な光ディスク装置について説明したが、これに限らず、情報の記録、再生及び消去のうち少なくとも再生が可能な光ディスク装置であれば良い。
【００９６】
【発明の効果】
以上説明したように、本発明に係る光ピックアップ装置によれば、大型化及び高コスト化を招くことなく、光源の発光パワーに関する情報を応答性良く出力することができるという効果がある。
【００９７】
また、本発明に係る光ディスク装置によれば、情報記録媒体への高速度でのアクセスを精度良く安定して行うことができるという効果がある。
【００９８】
【図面の簡単な説明】
【図１】本発明の第１の実施形態に係る光ディスク装置の概略構成を示すブロック図である。
【図２】図２（Ａ）は、本発明の第１の実施形態に係る光ピックアップ装置における光学系の概略構成を示す図であり、図２（Ｂ）は、図２（Ａ）におけるモニタ用ホログラムを説明するための図である。
【図３】図３（Ａ）は、図２（Ｂ）のモニタ用ホログラムにおける光束の入射角と回折光の光量との関係を説明するための図であり、図３（Ｂ）は、モニタ用ホログラムの配置状態を説明するための図である。
【図４】図４（Ａ）及び図４（Ｂ）は、それぞれ本発明の第２の実施形態に係る光ピックアップ装置における光学系の概略構成を示す図である。
【図５】図４（Ａ）及び図４（Ｂ）のそれぞれモニタ用ホログラムにおける光束の入射角と回折光の光量との関係を説明するための図である。
【図６】図６（Ａ）及び図６（Ｂ）は、それぞれ本発明の第２の実施形態に係る光ピックアップ装置の変形例を説明するための図である。
【図７】図７（Ａ）及び図７（Ｂ）は、それぞれ本発明の第２の実施形態に係る光ピックアップ装置におけるモニタ用ホログラムの第１の変形例を説明するための図である。
【図８】
図８（Ａ）及び図８（Ｂ）は、それぞれ本発明の第２の実施形態に係る光ピックアップ装置におけるモニタ用ホログラムの第２の変形例を説明するための図である。
【符号の説明】
１５…光ディスク（情報記録媒体）、２０…光ディスク装置、２３…光ピックアップ装置、２８…再生信号処理回路（処理装置の一部）、４０…ＣＰＵ（処理装置の一部）、４３…光ピックアップ装置、５１ａ…半導体レーザ（光源）、５１ｂ…受光器（戻り光検出器）、５７…モニタ用受光素子（出射光量検出器）、５８…モニタ用ホログラム（偏光ホログラム）、６０…対物レンズ、６１ａ…第１の半導体レーザ（光源）、６１ｂ…第２の半導体レーザ（光源）、６１ｃ…受光器（戻り光検出器）、６７ａ，６７ｂ…モニタ用受光素子（出射光量検出器）、６８…モニタ用ホログラム（偏光ホログラム）、７０…対物レンズ。
【図１】
2004152355.tif 000003
【図２】
2004152355.tif 000004
【図３】
2004152355.tif 000005
【図４】
2004152355.tif 000006
【図５】
2004152355.tif 000007
【図６】
2004152355.tif 000008
【図７】
2004152355.tif 000009
【図８】
2004152355.tif 000010